Podtech/llm-jp-corpus-v4-ja_patent huggingface dataset:
(57)【要約】      （修正有）【課題】樹脂製結束バンドの結束後に生じる余剰部分を切断除去した後の切断端部を鋭角部分のない滑らかな形状にするニッパー式切断工具を提供する。【解決手段】ニッパー式切断工具１ａにあって、切断刃物の一部を円弧状３ａにし、樹脂製結束バンド４ａを円弧状刃物部分で切断する。【選択図】図１
0003167786.tif 000002
【実用新案登録請求の範囲】
【請求項１】
切断刃物の一部が円弧状に形成されていることを特徴とするニッパー式切断工具。
【請求項２】
前記切断刃物の一部は、円弧と直線で構成された山形状に形成されていることを特徴とする請求項１に記載の切断工具。
【請求項３】
前記切断刃物の全部が円弧状に形成されていることを特徴とする請求項１に記載の切断工具。
【請求項４】
前記切断刃物の全部が円弧と直線で構成された山形状に形成されていることを特徴とする請求項１に記載の切断工具。
【考案の詳細な説明】
【技術分野】
【０００１】  本考案はニッパー式切断工具に関するものである。
【背景技術】
【０００２】  従来のニッパー式切断工具は、切断刃物がほぼ直線状になっている。【０００３】  しかしながら、従来のニッパー式切断工具では、例えば樹脂製結束バンド（通称インシュロック等）の結束後に生じる余剰部分を切断除去すると、切断端部がほぼ直線状となるため、切断端部に鋭角部分が生じ、人体が触れて怪我をしたり、衣服を傷つけたりする等の欠点があった。【０００４】
【先行技術文献】
【非特許文献】
【０００５】
【非特許文献１】株式会社ＭｏｎｏｔａＲＯ、「ＭｏｎｏｔａＲＯ  間接資材総合カタログ  ＲＥＤＢＯＯＫ  Ｖｏｌ．６  工具・生産加工用品編」、Ｐ．５７４〜Ｐ．５８３
【考案の概要】
【考案が解決しようとする課題】
【０００６】  本考案は以上のような従来の欠点に鑑みてなされたもので、例えば樹脂製結束バンド（通称インシュロック等）の結束後に生じる余剰部分を切断除去後の切断端部が鋭角部分の無い滑らかで安全な切断端部に成形されるニッパー式切断工具を提供することを目的とする。
【課題を解決するための手段】
【０００７】  上記課題を解決するため、本考案はニッパー式切断工具の切断刃物の一部または全部を円弧状または円弧と直線により構成される山形状にすることにより、例えば樹脂製結束バンド（通称インシュロック等）の結束後に生じる余剰部分を前述した形状の刃物部分で切断除去すれば、除去後の切断端部が鋭角部分の無い滑らかで安全な切断端部に成形されることを特徴とする。
【考案の効果】
【０００８】  以上説明したように本考案のニッパー式切断工具によれば、例えば樹脂製結束バンド（通称インシュロック等）の結束後に生じる余剰部分を切断刃物の一部または全部を円弧状または円弧と直線により構成される山形状とした部分で切断することにより、切断除去後の切断端部が鋭角部分の無い滑らかで安全な切断端部に成形され、人体が触れても怪我をすることが無く、また衣服を傷つけたりすることも無くなるという優れた効果が得られる。
【図面の簡単な説明】
【０００９】
【図１】  本考案のニッパー式切断工具において、切断刃物の一部が円弧状のものを示す斜視図である。
【図２】  本考案のニッパー式切断工具において、切断刃物の一部が円弧と直線で構成された山形状のものを示す斜視図である。
【図３】  従来のニッパー式切断工具の切断刃物と切断端部を示す斜視図である。
【考案を実施するための形態】
【００１０】  以下に本考案の実施の形態例及び従来の実施の形態例を図面に基づいて説明する。
【実施例１】
【００１１】  図１は、本考案によるニッパー式切断工具１ａにおいて、切断刃物２ａの一部が円弧状となる例を示す斜視図で、切断刃物の一部３ａは円弧状になっており、例えば樹脂製結束バンド（通称インシュロック等）４ａの結束後に生じる余剰部分を円弧状刃物部分で切断除去後の切断端部は５ａに示すように円弧状に成形され、鋭角部分を生じることが無い。
【実施例２】
【００１２】  図２は、本考案によるニッパー式切断工具１ｂにおいて切断刃物２ｂの一部が円弧と直線で構成された山形状となる例を示す斜視図で、切断刃物の一部３ｂは円弧と直線で構成された山形状になっており、例えば樹脂製結束バンド（通称インシュロック等）４ｂの結束後に生じる余剰部分を山形状刃物部分で切断除去後の切断端部は５ｂに示すように円弧と直線で構成された山形状に成形され、鋭角部分を生じることが無い。
【実施例３】
【００１３】  図３は、従来のニッパー式切断工具１１の刃物部分を示す斜視図で、切断刃物１２はほぼ直線状になっており、例えば樹脂製結束バンド（通称インシュロック等）１４の結束後に生じる余剰部分を切断除去後の切断端部は１５に示すようにほぼ直線状となるため、鋭角部分１６が生じる。
【符号の説明】
【００１４】１ａ、１ｂ、１１    切断工具
２ａ、２ｂ、１２    切断刃物
３ａ                切断刃物（円弧状部分）
３ｂ                切断刃物（山形状部分）
４ａ、４ｂ、１４    樹脂製結束バンド
５ａ、５ｂ、１５    切断端部
１６                鋭角部分
【図１】
0003167786.tif 000003
【図２】
0003167786.tif 000004
【図３】
0003167786.tif 000005
(57)【要約】      （修正有）【課題】犬猫の膀胱及び尿道に管を入れた時、管の先を包んだ尿漏れパットと尿道から出た管をオムツ以外で固定し、排便を普段どおりできるようにする犬猫用介護服を提供する。【解決手段】犬猫の体形に合った服の腹部に腹当てＪを連結し、尿漏れパットＩを固定し、さらにその腹当てに股当てＫを連結し、尿道から出ている管Ｈを止め保護することで膀胱に管を挿入したときの介護服とする。また、排便時に股当てをはずす事で、普段どおりの排便ができるようにして犬猫用介護服を構成する。【選択図】図６
0003167791.tif 000002
【実用新案登録請求の範囲】
【請求項１】
背の中央の合わせ目に適宜結合手段を施す後身頃に前身頃を縫い合わせ、該合わせ部分に前脚を通す開口部を設けるとともに一端に適宜結合手段を施し輪状となる後脚を通す開口部を設け、前期前身頃と略同幅の腹当てを該前身頃の下方部に両辺部を着脱自在に設け、二股の折り返し部に着脱自在の結合手段を有し、裏部に管止め部材を形成する股当てを前記腹当てに着脱自在に設けたことを特徴とする犬猫用介護服。
【考案の詳細な説明】
【技術分野】
【０００１】  本考案は、犬猫が膀胱及び尿道に管を挿入した時の犬猫用介護服に関するものである。
【背景技術】
【０００２】  従来、犬や猫が膀胱及び尿道に管を挿入した時、管の先を尿漏れパットで包み尿を受け、オムツで固定していた。従来の犬猫用介護服に尿漏れパット及び管を固定出来るものはない。
【考案の概要】
【考案が解決しようとする課題】
【０００３】  オムツにより尿漏れパット及び尿道に挿入した管を固定する方法には、行動に不自由があり、オムツがはずれたり犬猫自身が管をかじったり抜いたりすることもあり、また排便もオムツの中にするので、その後始末は犬猫にとっても、飼い主にも苦労が多く、犬猫用の服にも前述の事に対応するものがない。従って尿漏れパット及び尿道に挿入した管を固定するため犬猫用の服に改良を加え、オムツ以外で解決しようとするものである。
【課題を解決するための手段】
【０００４】  本考案は、背の中央の合わせ目に適宜結合手段を施す後身頃に前身頃を縫い合わせ、該合わせ部分に前脚を通す開口部を設けるとともに一端に適宜結合手段を施し輪状となる後脚を通す開口部を設け、前期前身頃と略同幅の腹当てを該前身頃の下方部に両辺部を着脱自在に設け、二股の折り返し部に着脱自在の結合手段を有し、裏部に管止め部材を形成する股当てを前記腹当てに着脱自在に設け、尿漏れパットは腹当てに固定され、管は股当てに保護され問題を解決した。
【考案の効果】
【０００５】  前記の介護服を装着する事で、簡単に管をかじったり抜かれたりする事が軽減し、尿漏れパットが腹当てに固定された事でオムツから開放される。その事は行動に不自由がなく、排便時に股当てをはずす必要はあるが普段と変わらず、散歩や砂箱でできる。その時は管はむき出しになるが一時的であり、目を配っている事で問題は解決する。従来オムツと尿漏れパットの交換は犬猫の抵抗により困難であったが、尿漏れパットのみの交換により、犬猫の不快さや飼い主の負担は軽減した。また、服全体が全開する事は寝たままで抵抗する事なく装着可能であり、股当てに市販の生理用ナプキンを使用する事で犬猫の生理時にも対応する。
【図面の簡単な説明】
【０００６】
【図１】犬猫用に裁断した後身頃、前身頃、後脚部、衿部の展開図
【図２】図１の後身頃、前身頃、後脚部、衿部を形成した本体の展開図
【図３】図２の腹部にかぶせる腹当ての展開図
【図４】図３に連結する股当ての展開図
【図５】図２、図３、図４の組み合わせ状態図
【図６】図３、図４の使用状態図
【図７】猫が本考案を装着した状態図
【考案を実施するための形態】
【実施例】
【０００７】  以下本考案の実施形態を図面に従い説明する。
全体は伸縮性を有するニット製の素材の布を用い、体形に合わせて裁断し、図１で示す背中央を合わせ部分とした後身頃１と前身頃２の肩を縫い合わせ、該身頃の両脇を縫い合わせ、前脚を通す開口部を設け、更に両脇の縫い合わせ部分の下に後脚部３を縫い合わせ、更に同じ素材でゴム編み状の衿部を前記身頃の上部に縫い、後身頃の合わせ部分にＡ１Ａ２、後脚部にＢ１Ｂ２、前身頃腹の両脇・両股脇にＣ１後身頃の下部分Ｆ１に着脱可能な結合部分面ファスナーを有した服が図２であり、図３は図１の前身頃の腹部分と同じ寸法で両脇・両股脇部分にＣ２と股下部Ｄ１に着脱可能な結合部分面ファスナーを有した尿漏れパットを固定する腹当てであり、図４はズボンの形状で幅の広い方の裏側に片側を縫い止め、片側に着脱可能な結合部分面ファスナーを有し開閉自在となる管止め部材Ｇを有し、二股の先端部Ｆ２と幅の広い方の先端部Ｄ２も着脱可能な結合部分面ファスナーを有した股当てであり、上記の図２の服と図３の腹当てと図４の股当てをＡ１とＡ２、Ｂ１とＢ２、Ｃ１とＣ２、Ｄ１とＤ２の結合部分で連結する事で図５となり前脚抜穴・後脚抜穴が形成され、体が包まれる形態となり、尿漏れパットを固定する腹当てと管を止め保護する股当てがついた状態となる。【０００８】  使用状態を説明すると、図６ａは尿道から出ている管Ｈの先を尿漏れパットＩで包み腹の上に置き、図６ｂは尿漏れパットＩが腹当てＪに固定され管Ｈが股当てに保護され、図７で股当てのＦ２と服のＦ１が連結され、普段通りの歩行が可能となり横向きに立っている。
上記結合手段としてボタン・ホック等の使用も可能である。
【符号の説明】
【０００９】  １    後身頃
２    前身頃
３    後脚部
４    衿部
Ａ１  着脱可能な結合部分
Ａ２  着脱可能な結合部分
Ｂ１  着脱可能な結合部分
Ｂ２  着脱可能な結合部分
Ｃ１  着脱可能な結合部分
Ｃ２  着脱可能な結合部分
Ｄ１  着脱可能な結合部分
Ｄ２  着脱可能な結合部分
Ｅ１  着脱可能な結合部分
Ｅ２  着脱可能な結合部分
Ｆ１  着脱可能な結合部分
Ｆ２  着脱可能な結合部分
Ｇ    管を止める部材
Ｈ    尿道から出ている管
Ｉ    管の先を包んだ尿漏れパット
Ｊ    尿漏れパットを収納する腹当て
Ｋ    管を保護し、管を止める部材付き股当て
【図１】
0003167791.tif 000003
【図２】
0003167791.tif 000004
【図３】
0003167791.tif 000005
【図４】
0003167791.tif 000006
【図５】
0003167791.tif 000007
【図６】
0003167791.tif 000008
【図７】
0003167791.tif 000009
(57)【要約】      （修正有）【課題】靴下や手袋等の洗濯物を洗濯機で洗った後、ばらばらにならない様に一組づつ挟んだまま洗え、かつ洗濯機内でかさ張らない洗濯用保持ピンチを提供する。【解決手段】洗濯用保持ピンチは、上部と中央部と下部を有するＳ字状をしたクリップに形成する。材質はプラスチィク、大きさは横約６０ｍｍ、縦約４０ｍｍ、線径約５ｍｍで、射出成形にて行い、小物類を固定する時に先端の押し返しの部分やクリップの断面形状が丸く形成して、生地を傷めない構造とする。使用の際は、まず最初に前記下部と中央部に小物類を通し、次に中央部から上部に小物類を通し、一対の小物類をからめる。【選択図】図１
0003167795.tif 000002
【実用新案登録請求の範囲】
【請求項１】
Ｓ型の形状を持ったクリップを用いた靴下及び小物類をからめることでばらばらにならない様に洗濯機の中で洗える洗濯用保持ピンチ。
【請求項２】
Ｓ型のクリップは、その先端の押し返しの部分を丸して小物類を傷めない様になっており、クリップの断面形状も丸くなっている構造となっている請求項１記載の洗濯用保持ピンチ。
【考案の詳細な説明】
【技術分野】
【０００１】
本考案は、靴下及び小物類の洗濯に用いる保持ピンチに関する。
【背景技術】
【０００２】
従来の洗濯用保持ピンチは、靴下や手袋等の洗濯物を洗濯機で洗った後、ばらばらにならない様に一組づつ挟んだまま洗えるカバー付き洗濯ばさみがあったが（特許文献１）、洗濯機内でかさ張り使い難い等の課題があった。
【先行技術文献】
【特許文献】
【０００３】
【特許文献１】実用新案登録第３０５４０２９号公報
【考案の概要】
【考案が解決しようとする課題】
【０００４】
解決しようとする課題は、洗濯機内でかさ張らずに靴下及び小物類をからめることでばらばらにならない様に洗濯機の中で洗えるということである。
【課題を解決するための手段】
【０００５】
本考案の洗濯用保持ピンチの概要は、図１で示す上部と中央部と下部を有するＳ字のクリップに作成する。
【０００６】
材質はプラスチィクが好ましく、大きさは横４０~１００ｍｍ、縦３０~８０ｍｍ、線径は３~１０ｍｍが好ましく、加工は射出成形にて行うのが好ましい。
使用できるプラスチックとしてはポリエチレン、ポリプロピレン、ポリスチレン、ＡＢＳ樹脂、ポリオキシメチレン等が好ましい。
【０００７】
小物類を固定する時に先端の押し返しの部分やクリップの断面形状が丸くなっているため生地を傷めない。
【０００８】
図２で示す様に、まず最初に前記下部と中央部に小物類を通し、次に中央部から上部に小物類を通し、一対の小物類をからめるクリップを提供する。図２で示す矢印の方向へ小物類を挿入する。
【０００９】
Ｓ型のクリップは、先端の押し返しの部分とクリップの断面形状が丸くなっているため、靴下及び小物類をからめることでばらばらにならない事と小物類の生地を傷めずに洗濯機の中で洗える事が特徴として挙げられる。
【考案の効果】
【００１０】
本考案の靴下及び小物類をからめることでばらばらにならない事と小物類の生地を傷めずにきれいに洗濯機の中で洗えるという効果がある。
【図面の簡単な説明】
【００１１】
【図１】図１は洗濯用保持ピンチの構造を説明する斜視図。
【図２】図２は洗濯用保持ピンチに小物類を固定する方法を示した概略図。
【図３】図３は洗濯用保持ピンチの実施方法を示した説明図。
【考案を実施するための形態】
【００１２】
本考案のＳ型のクリップ洗濯用保持ピンチのとして構成する。材質はポリスチレンを用い、縦が６０ｍｍ、横が４０ｍｍ、線径が５ｍｍで、射出成形にて製造した。
【実施例１】
【００１３】
図３は、本考案の洗濯用保持ピンチの図１の説明図であって、洗濯用保持ピンチを固定する方法を示した概略図を図２に示す。
【産業上の利用可能性】
【００１４】
本考案は、Ｓ型のクリップ洗濯用保持ピンチを製造する産業で利用される。
【符号の説明】
【００１５】
１    Ｓ型のクリップ洗濯用保持ピンチ
２    靴下
３    手袋
【図１】
0003167795.tif 000003
【図２】
0003167795.tif 000004
【図３】
0003167795.tif 000005
(57)【要約】      （修正有）【課題】手作業の工程で動力工具を用いても研磨し過ぎることがなく、作業効率を高める事の出来るマスキングシールを提供する。【解決手段】厚さ０．０６５ｍｍ直径６０ｍｍの青色ポリエチレンン粘着シート１に厚さ０．０８５ｍｍ直径６０ｍｍの白色ポリエチレン粘着シートを貼り付け、青色ポリエチレン粘着シートの粘着面の端部に厚さ０．０１５ｍｍ幅５ｍｍの非粘着用ポリエチレンシート４を張り、中心に直径１０ｍｍの穴３を開けてマスキングシールを形成する。【選択図】図２
0003167792.tif 000002
【実用新案登録請求の範囲】
【請求項１】
色の異なる樹脂テープを２層固着させ、その片側に粘着材を塗布した円形状のシールで、その粘着材を塗布した一部をさらに別の樹脂テープで覆い、円形状のシールの一部を粘着させずに使用後剥がしやすくさせ、その中心に直径１０ミリ程度の穴を開けて、塗装後の塗料微小突起を出させるようにさせ、その周囲に修正時の２次損傷を及ばないようにしたマスキングシール。
【考案の詳細な説明】
【技術分野】
【０００１】  本考案は、塗装面等の直径３ｍｍ程度以下の塗料微小突起を修正するために研磨する際に使用される、マスキングシールに関する。
【背景技術】
【０００２】  従来、塗料のカタマリや浮遊する埃等による塗料微小突起の研磨作業において、極めて狹い範囲を研磨する場合、直径７０ｍｍ位までの円柱状パットの平面部に、研磨シートを粘着剤または面ファスナーにより貼付け手作業で使用していた。
この場合、円柱状パット直径の２倍位の面積を研磨する等、余分な作業をする事になる上に、サンダー等の動力工具を使うと微細な研磨が出来ず手作業となるために工数がかかっていた。
【考案の開示】
【考案が解決しようとする課題】
【０００３】  動力工具を使い、塗料微小突起部を手作業の微細な研磨が出来るようにする補助具としてのマスキングシールを提供することを目的とした。
【課題を解決するための手段】
【０００４】  本考案においては、直径６０ｍｍの色の異なる円形状樹脂テープを２層固着させ、その片側に粘着材を塗布し、その粘着材を塗布した一部をさらに別の樹脂テープで覆い、円形状のシールの一部を粘着させずに使用後剥がしやすくさせ、その中心に直径１０ミリ程度の穴を開けて、塗装後の塗料微小突起を出させるようにさせた。
【考案実施の形態】
【０００５】  本考案は塗装面の塗料のカタマリや浮遊する埃等による塗料微小突起の局所の研磨のための作業補助用具として使用する。
【実施例】
【０００６】  図１及び図２において、厚さ０．０６５ｍｍ直径６０ｍｍの青色ポリエチレン粘着シート（１）の上に、厚さ０．０８５ｍｍ直径６０ｍｍの白色ポリエチレン粘着シート（２）を貼り、青色ポリエチレン粘着シート（１）の粘着面側に厚さ０．０１５ｍｍ幅５ｍｍのポリエチレンシート（４）を貼りの粘着面を一部粘着させないようにし、中心に直径１０ｍｍの穴（３）を開ける。
図３において、金属プレート（５）の表面に塗装を施し、塗装膜（６）を形成するが、塗料のカタマリや浮遊する埃等により塗料微小突起（７）が発生する。
図４において本考案のマスキングシールを微小突起（７）に被せるように貼り付け、直径１０ｍｍの穴（３）の中心付近に微小突起（７）を配置する。
微小突起（７）の大きさは直径２〜３ｍｍ，高さ１〜１．５ｍｍ程度であり、本考案のマスキングシールの厚みは直径１０ｍｍの穴（３）付近で０．１５ｍｍなので、微小突起（７）のほとんどが突き出る。
図４の状態でサンダー等の動力工具を使い、研磨シートで微小突起（７）を研磨する。
微小突起（７）が研磨され白色のポリエチレンシート（２）と同じ高さとなるが、さらに研磨をすすめると白色のポリエチレンシート（２）を研磨して、その下の青色のポリエチレンシート（１）が現れる。
これが研磨シートを使っての研磨終了のサインであり、  この状態まで研磨が進むと微小突起（７）の高さは青色のポリエチレンシート（１）の厚み０．０６５ｍｍ以下となり研磨工程は終了となるので、今考案のマスキングシールを剥がすが、非粘着用ポリエチレンシート（４）により簡単に剥がす事が出来る。
微小突起（７）の周辺がマスキングされていたので２次損傷が極めて少ない。
微小突起（７）が複数個となる場合はこれを繰り返すが、サンダー等の動力工具を使うため手作業に比べてきわめて早く作業が終了する。
最後に艶出し工程で微細コンパウンドとポリッシャー等の動力工具を用いて微小突起（７）跡を倣らすが、微小突起跡も青色のポリエチレンシート（１）の厚み０．０６５ｍｍ以下なので迅速に作業が終了し、２次損傷がほとんどないため仕上がりも、微小突起（７）とその周辺との差が極めて小さく、良好な結果となる。
また、本考案のマスキングシールはその素材にポリエチレンシートを使用しており、安価に生産することが出来る。
【考案の効果】
【０００７】  本考案は前記の様に、被研磨部の面積を極めて小さくし、その周囲に２次損傷を与えないようにし、サンダー等の動力工具を用いても研磨をし過ぎるの無いようマスキングシールの色の変化が目視され、研磨に掛かる工数を短縮することが出来る。
さらに研磨に用いる研磨シートも被研磨部の面積が極めて小さくなるためその使用量も減少することができる
また被研磨部の面積が極めて小さくなるので、艶出し工程も少ない面積ですます事ができる事になり全体の作業効率が大幅に上昇する。
【図面の簡単な説明】
【図１】  本考案によるマスキングシールの側面断面図。
【図２】  本考案によるマスキングシールの粘着面平面図。
【図３】  金属プレートに塗装を施された塗装膜に塗料のカタマリにより微小突起が発生した不具合を説明する側面断面図。
【図４】  微小突起に本考案のマスキングシールの貼り付けを説明する側面断面図
【符号の説明】１  青色ポリエチレン粘着シート
２  白色ポリエチレン粘着シート
３  中心穴
４  非粘着用ポリエチレンシート
５  金属プレート
６  塗装を施された塗装膜
７  塗料のカタマリや異物による微小突起
【図１】
0003167792.tif 000003
【図２】
0003167792.tif 000004
【図３】
0003167792.tif 000005
【図４】
0003167792.tif 000006
(57)【要約】      （修正有）【課題】電磁波シールドルームを台風雲の高さに昇らせた台風雲粉砕装置を提供する。【解決手段】プラスとマイナスの雷雲の上下の電力を、パラシュート２つき電磁波シールドルーム１の有する人工の雷作り金属プラスとマイナスにより充放電させて、台風雲粉砕装置とする。複数運用による効果大。台風雲の発生する電力を人工の雷として２つの金属の間に火花を飛ばす充放電をくり返し、台風雲を粉砕できる。【選択図】図１
0003167465.tif 000002
【実用新案登録請求の範囲】
【請求項１】
人工の雷作り金属プラスとマイナスを設けたパラシュート付き電磁波シールドルームの構成台風雲粉砕装置。
【考案の詳細な説明】
【技術分野】
【０００１】
本考案は、従来の電磁波シールドルームを台風雲の高さに昇らせた台風雲粉砕装置に関する。
【背景技術】
【０００２】
市販の四畳半サイズ電磁波シールドルームがあります。
【考案の開示】
【考案が解決しようとする課題】
【０００３】
しかしながら、台風雲の高さに電磁波シールドルームを機能させる持続時間が落下させても持てないくらい小さいという欠点がある。
【０００４】
本考案は、上記実情に鑑みてなされたものであり、航空機より電磁波シールドルームをささえるパラシュートをつけて落下時間を台風雲の有する電気の充放電に十分な大きさとする目的としている。
【課題を解決するための手段】
【０００５】
上記目的を達成するため考案は、航空機より台風雲上空からパラシュートつき電磁波シールドルームを落下できる構成である。
【考案の効果】
【０００６】
本考案により、台風雲の発生する（有する）電力を人工の雷として２つの金属の間に火花を飛ばす充放電をくり返し台風雲粉砕装置にできる。
【図面の簡単な説明】
【０００７】
【図１】は、本考案の台風雲粉砕装置である。
【考案を実施するための形態】
【０００８】
本考案の実施の形態の一例について、図面を参照しながら説明する。
台風雲粉砕装置は図１に示すように、電磁波シールドルーム１、をパラシュート２、で台風雲の有する電力を電磁波シールドルームに設けた人工の雷作り金属プラスとマイナス３,３´により火花を充放電させる事ができる。
【符号の説明】
【０００９】
1.      電磁波シールドルーム
2.      パラシュート
３,３´  人工の雷作り金属プラスとマイナス
【図１】
0003167465.tif 000003
【手続補正書】
【提出日】平成22年12月16日(2010.12.16)
【手続補正１】
【補正対象書類名】実用新案登録請求の範囲
【補正対象項目名】全文
【補正方法】変更
【補正の内容】
【実用新案登録請求の範囲】
【請求項１】
人工の雷とする銅板等金属から空間放電を銅板等金属で受ける電磁波放電部を電磁波シールドルームに設けたパラシュート付き電磁波シールドルームの構成台風雲粉砕装置。
【請求項２】
露点検出板とするフェライト板等具備する事を特徴とする請求項１記載の台風雲粉砕装置。
【手続補正書】
【提出日】平成23年2月23日(2011.2.23)
【手続補正１】
【補正対象書類名】実用新案登録請求の範囲
【補正対象項目名】全文
【補正方法】変更
【補正の内容】
【実用新案登録請求の範囲】
【請求項１】
電磁シールドルーム扉に銅板をネジ止めして電磁波放電部扉対抗部としてのシールドルームの一部にも銅板をネジ止めして電磁波受電部を設け扉の開閉状態で作る放電部と受電部の空間放電を行うパラシュート付き電磁波シールドルームの構成である台風雲粉砕装置。
【請求項２】
露点検出板とするフェライト板を具備する事を特徴とする請求項１記載の台風雲粉砕装置。
(57)【要約】      （修正有）【課題】水難事故で溺れないためのペットボトルを利用した浮き用具を提供する。【解決手段】ペットボトルのキャップ上部に穴のあいた突起物を設ける。ペットボトルを浮き具として使用した場合、いままではペットボトルを抱える方法だけだったが、キャップ突起部に穴が付いたことで、穴に紐状の物を通しそれを利用して浮き具として使用できる。そのことから身近にある紐・タオル・シャツの袖などを通すことができて、通した部分を縛ることで抱えることなく簡単に浮き具として使用できる。【選択図】図４
0003167467.tif 000002
【実用新案登録請求の範囲】
【請求項１】
ペットボトルのキャップ上部に穴があいた突起物があること。
【請求項２】
キャップ上部に突起物を有し、該突起物に前記穴を有することとする特徴を請求項１記載のペットボトルのキャップ。
【考案の詳細な説明】
【技術分野】
【０００１】本発明は、水難事故で溺れないためのペットボトルを利用した浮き用具に関するものである。
【背景技術】
【０００２】従来の飲料用ペットボトルのキャップは、ボトル内部の液体を封じるためだけのものである。
また、キャップの一部形状を変えて携帯用吊り下げなどは知られているが、これは飲料用ペットボトルを他に利用するものではない。
【先行技術文献】
【特許文献】
【０００３】
【特許文献１】  特許公開２００５−２９２５２
【考案の概要】
【０００４】水難事故で浮く物があれば助かるのに、溺れる被害者が多数でている。
【考案が解決しようとする課題】  本発明は、水難事故時身近にあって簡単に浮き具として効果のある物である。
【課題を解決するための手段】  ペットボトルのキャップ上部に紐状の物が通せる穴が付いた突起部がある。
【考案の効果】  ペットボトルを浮き具として使用した場合、いままではペットボトルを抱える方法だけだったが、キャップ突起部に穴が付いたことで、穴に紐状の物を通しそれを利用して浮き具として使用できる。
そのことから身近にある紐・タオル・シャツの袖などを通すことができて，通した部分を縛ることで抱えることなく簡単に浮き具として使用できる。
【図面の簡単な説明】  ペットボトルのキャップ上部に紐状の物が通せる穴が付いた突起部がある。
【図１】本発明の斜視図
【図２】本発明の使用方法を示す図
【図３】本発明の使用状況を示す図
【図４】本発明の使用状況を示す図
【考案を実施するための形態】
ペットボトルのキャップ（１）上面に垂直に立ちあがった突起部分（２）に穴（３）があいている。
【符号の説明】（１）キャップ、（２）突起部、（３）穴、（４）紐、（５）ペットボトル（６）シャツ、（７）タオル、（８）人
【図１】
0003167467.tif 000003
【図２】
0003167467.tif 000004
【図３】
0003167467.tif 000005
【図４】
0003167467.tif 000006
【手続補正書】
【提出日】平成23年1月25日(2011.1.25)
【手続補正１】
【補正対象書類名】実用新案登録請求の範囲
【補正対象項目名】全文
【補正方法】変更
【補正の内容】
【実用新案登録請求の範囲】
【請求項１】
キャップの上部に突起物を有し、該突起物に前記キャップの上面に平行に紐状物が挿通可能な穴を形成してなることを特徴とするペットボトルのキャップ。
(57)【要約】      （修正有）【課題】生理ナプキンをロールにし圧縮することで小型のパッケージにし、親しみ易く携帯し易くした生理ナプキンを提供する。【解決手段】ナプキン１をロール状に圧縮し、圧縮したナプキンを梱包体２で梱包する。ナプキンと梱包体の間には、使用する時に開放するための強度な糸３を梱包体に付ける。糸の長さは、片側から１ｃｍ〜５ｃｍ程度突出する長さとする。ナプキンを糸て開放しやすいために長手方向にミシン目をいれる。この時、糸は、ミシン目と重なる位置に配置する。【選択図】図２
0003167464.tif 000002
【実用新案登録請求の範囲】
【請求項１】
ナプキンをロール状に圧縮し、圧縮したナプキンを梱包体で梱包し、前記ナプキンと梱包体の間には、使用する時に開放するための強度な糸を梱包体に付け、梱包体の長手方向にミシン目を入れたことを特徴とする生理ナプキンのパッケージ。
【請求項２】
請求項１記載のナプキンを収納することを特徴としたケース。
【考案の詳細な説明】
【技術分野】
【０００１】  本考案の生理ナプキンのパッケージとケース
【背景技術】  従来のナプキンは、二つ折りにしてビニールで梱包。
【先行技術文献】
【０００３】
【特許文献１】公開実用新案昭６４−４９２２５号公報
【考案の概要】
【考案が解決しようとする課題】
【０００４】  現在はナプキン自体の性能面では新しく開発されているものが多いが、パッケージについては、まだ改善されてない。
従来のパッケージは、すぐに破れたりして衛生面で良くない事、ナプキン自体大きい物を何枚か持ち歩く時にカバンの中等でかさばってしまう事など、女性ナプキンは、女性が初めて初潮を迎え閉経まで長いお付き合いになる物なので、ナプキン自体の品質の改善はもちろんパッケージも改善する事が良い事。
【課題を解決するための手段】
【０００５】ナプキンをロールにし圧縮し、ナプキンを使用する時に開放する時に強度な糸をつける。ナプキンを糸で開放しやすいために縦にミシン目をいれる。ケースに収納する際に普通用や夜用など厚さや長さにより収納の本数が異なる。
【考案の効果】
【０００６】  店舗などの在庫の収納や店頭の陳列するスペースなどでコンパクトなパッケージにする事により消費者も店舗も、もちろん卸す問屋もスペースが縮小出来る事。
【図面の簡単な説明】
【０００７】
【図１】  本考案の斜視図
【図２】  Ａ−Ａ断面図
【図３】  本考案を梱包した状態を示す斜視図
【考案を実施するための形態】
【０００７】  ナプキンをロール状に圧縮し、圧縮したナプキンを梱包体で梱包する。ナプキンと梱包体の間には、使用する時に開放するための強度な糸を梱包体に付ける。糸の長さは、片側から１ｃｍ〜５ｃｍ程度突出する長さとする。ナプキンを糸で開放しやすいために長手方向にミシン目をいれる。この時、糸は、ミシン目と重なる位置に配置する。
【０００８】  また、圧縮梱包されたナプキンは、専用のケースにより収納する。この時、ケースの形態は図３に示すようなタバコのハードケースのような形態が好ましい。
【０００９】  本発明は以上のような構造で、これを使用するときは、収納ケースからナプキンを取り出し、突出している糸を指でつまみ、ミシン目に沿って、上方に引き上げる。
【００１０】  なお、ケースに収納する際に普通用や夜用など厚さや長さにより収納の本数が異なる。生理は、長いお付き合いになるので、女子から女性、学生から社会人まで使用するのに圧縮されたナプキンは、衛生上、清潔で安心である。圧縮されたナプキンと収納するケースもコンパクトでおしゃれな可愛いいデザインにする事により初めて初潮を迎えナプキンを使用するにあたって抵抗なく不安や憂つうな気分やナプキンを携帯する際も恥ずかしくなく親しみやすく携帯しやすい。消費者も業社もかさばらず収納しやすくなる。
【符号の説明】
【００１１】  １  ナプキン、２  梱包体、３  糸、４  ミシン目、５  ケース
【図１】
0003167464.tif 000003
【図２】
0003167464.tif 000004
【図３】
0003167464.tif 000005
【手続補正書】
【提出日】平成23年1月31日(2011.1.31)
【手続補正１】
【補正対象書類名】実用新案登録請求の範囲
【補正対象項目名】請求項２
【補正方法】変更
【補正の内容】
【請求項２】
請求項１に記載の生理ナプキンのパッケージを収納したことを特徴とするケース。
(57)【要約】      （修正有）【課題】おむつはずしを容易にし、育児の負担を軽減する幼児用トレーニングパンツを提供する。【解決手段】ベルト部分とパンツ本体は一体であり、ベルトの左側の内側の先端にカギホックのカギを付け、ベルトの右側の外側の先端にカギホックのカギを受ける部分を付ける。ベルト中央と脇の中間の位置に、左右ともボタンを１個ずつ付け、前の部分のボタンに対応する位置にボタン穴を１個ずつ設ける。後の部分の脇の下部外側に面ファスナーを付け、前の部分の内側の下部外側に対応する位置に面ファスナーを付ける。布地は三層からなり、外側は綿、中間層は防水布、内側は綿の吸水布を使用する。ベルトの中および股ぐりにゴム帯を入れる。【選択図】図１
0003167466.tif 000002
【実用新案登録請求の範囲】
【請求項１】
ウエストのベルトをホックでとめ、前部をベルトに付いているボタンにとめて使う。
はずすときは二段階ではずす様にした。
【請求項２】
【考案の詳細な説明】
【技術分野】
【０００１】
【背景技術】
【０００２】
【先行技術文献】
【特許文献】
【０００３】
【特許文献１】
【特許文献２】
【非特許文献】
【０００４】
【非特許文献１】実用新案第３０１６０９０号
【非特許文献２】
【考案の概要】
従来のトレーニングパンツは、脱がせる時に、足に便がつく。それを防ぎおむつはずしを容易にし、育児の負担を軽減する。
【考案が解決しようとする課題】
従来のトレーニングパンツは、脱がせる時に足に便がつく。また全開のトレーニングパンツでは、面ファスナーをはずすと布が一気にはずれ、周囲に便が散乱する。
【課題を解決するための手段】
トレーニングパンツの前部を開くことができるようにすることで、おむつと同じように子供を寝かせて平面で処理できる。
立たせたままで処理するときも、先ずボタンをはずし、前部を後部に重ねて、片手で持ち、もう一方の手でホックをはずす。二段階にはずすことにより便の散乱を防ぐ。
【考案の効果】
おむつはずしは育児中の母親にとり大変な負担であるが、それを軽減でき、育児を楽にする。
面ファスナーのトレーニングパンツは面ファスナーをはずすと一気にはずれ、便が散乱する。ボタンをはずし、次にホックをはずす二段階にすることで、一気にはずれるのを防ぎ周りを汚さない。
パンツ型だと脱がせる時に足に便がつき、不潔になりやすい。
【図面の簡単な説明】
【・・・・】
【図１】
ボタンおよびホックをはずした状態を示した平面図である。
【図２】
ボタンをはずした状態を示した平面図である。
【考案を実施するための形態】
【・・・・】
【実施例】
【・・・・】
【産業上の利用可能性】
【・・・・】
【符号の説明】
【・・・・】
【図１】
0003167466.tif 000003
【図２】
0003167466.tif 000004
【手続補正書】
【提出日】平成23年2月9日(2011.2.9)
【手続補正３】
【補正対象書類名】明細書
【補正対象項目名】全文
【補正方法】変更
【補正の内容】
【考案の詳細な説明】
【技術分野】
【０００１】
【背景技術】
【０００２】 
【先行技術文献】
【特許文献】
【０００３】
【非特許文献】
【０００４】
【非特許文献１】実用新案第３０１６０９０号
【考案の概要】
【０００５】  従来のトレーニングパンツは、脱がせる時に、足に便がつく。それを防ぎおむつはずしを容易にし、育児の負担を軽減する。
【考案が解決しようとする課題】
【０００６】従来のトレーニングパンツは、脱がせる時に足に便がつく。また全開のトレーニングパンツでは、面ファスナーをはずすと布が一気にはずれ、周囲に便が散乱する。
【課題を解決するための手段】
【０００７】トレーニングパンツの前部を開くことができるようにすることで、おむつと同じように子供を寝かせて平面で処理できる。立たせたままで処理するときも、先ずボタンをはずし、前部を後部に重ねて、片手で持ち、もう一方の手でホックをはずす。二段階にはずすことにより便の散乱を防ぐ。
【考案の効果】
【０００８】おむつはずしは育児中の母親にとり大変な負担であるが、それを軽減でき、育児を楽にする。面ファスナーのトレーニングパンツは面ファスナーをはずすと一気にはずれ、便が散乱する。ボタンをはずし、次にホックをはずす二段階にすることで、一気にはずれるのを防ぎ周りを汚さない。パンツ型だと脱がせる時に足に便がつき、不潔になりやすい。
【図面の簡単な説明】
【０００９】
【図１】ボタンおよびホックをはずした状態を示した平面図である。
【図２】ボタンをはずした状態を示した平面図である。
【符号の説明】
【００１０】 １  トレーニングパンツ本体後部 ２  トレーニングパンツ本体前部 ３  ホックまたは面ファスナー ４  ボタンまたは面ファスナー ５  ボタン穴または面ファスナー ６  面ファスナー ７  ゴム帯 ８  ベルト部分
【手続補正４】
【補正対象書類名】実用新案登録請求の範囲
【補正対象項目名】全文
【補正方法】変更
【補正の内容】
【実用新案登録請求の範囲】
【請求項１】
「幼児用トレーニングパンツにおいて、（１）ベルト部分とパンツ本体は一体であり、（２）ベルトの左側の内側の先端にカギホックのカギを付け、ベルトの右側の外側の先端にカギホックのカギを受ける部分を付ける、 （３）ベルト中央と脇の中間の位置に、左右ともボタンを１個ずつ付け、前の部分のボタンに対応する位置にボタン穴を１個ずつ設ける、 （４）後の部分の脇の下部外側（足の付根の位置）に面ファスナーを付け、前の部分の内側の下部外側に対応する位置に面ファスナーを付ける、 （５）布地は三層からなり、外側は綿、中間層は防水布、内側は綿の吸水布を使用する、 （６）ベルトの中および股ぐりにゴム帯を入れる、   以上からなる幼児用トレーニングパンツ。」
(57)【要約】      （修正有）【課題】風が吹いても、競技用ピン（密閉中空容器）を所定位置に、確実にセット出来て、競技用ピンにボールを当てて倒した際に、競技者に壮快感を与え、倒れた競技用ピンの点数計算が簡単にできる競技用ピンを提供する。【解決手段】密閉中空容器１内に複数個のガラス玉２を挿入したことにより、風が吹いても、競技用ピン（密閉中空容器）を所定位置に、確実にセットできて、上記競技用ピンにボールを当てて倒した際には、ボールを当てた競技者に壮快感を与え、密閉中空容器の外周に巻着した色分けテープ３で、倒れた競技用ピンの点数計算を簡単に区別できるようにする。【選択図】図１
0003167495.tif 000002
【実用新案登録請求の範囲】
【請求項１】
密閉中空容器内に複数個の玉を挿入したことを特徴とする競技用ピン。
【請求項２】
上記密閉中空容器の外周に色分けテープを巻着したことを特徴とする請求項１に記載の競技用ピン。
【考案の詳細な説明】
【技術分野】
【０００１】競技に使用する際の競技用ピンを提供する。
【背景技術】
【０００２】競技用ピンにボールを当てて倒した際に、競技者に壮快感を与えるようにした。
【考案の概要】
【考案が解決しようとする課題】
【０００３】風が吹いても、競技用ピン（密閉中空容器）を所定位置に、確実にセット出来て、競技用ピンにボールを当てて倒した際に、競技者に壮快感を与え、倒れた競技用ピンの点数計算が簡単にできる競技用ピンを提供する。
【課題を解決するための手段】
【０００４】密閉中空容器内に複数個の玉を挿入した競技用ピンで、前記密閉中空容器の外周に色分けテープを巻着したことを特徴とする競技用ピンである。
【考案の効果】
【０００５】密閉中空容器内に複数個の玉を挿入したことにより、風が吹いても、競技用ピン（密閉中空容器）を所定位置に、確実にセットできて、上記競技用ピンにボールを当てて倒した際には、ボールを当てた競技者に壮快感を与え、密閉中空容器の外周に巻着した色分けテープで、倒れた競技用ピンの点数計算を簡単に区別できるようになった。
【図面の簡単な説明】
【０００６】
【図１】図１は本考案に係る一実施例を示す側面図である。
【考案を実施するための形態】
【０００７】本考案に係る具体例を、図１を参考に以下説明する。
【実施例】
【０００８】図１に図示する如く、本実施例では、プラスチック製等の密閉中空容器１内に複数個（５から６個）のガラス玉２を入れたので、風が吹いても、競技用ピン（密閉中空容器１）を所定位置に、確実にセットできた。密閉中空容器１内のガラス玉２は、密閉中空容器１が倒れた際に、快音を発し、密閉中空容器１の外周に色分けテープ３を巻着したことにより、倒れた競技用ピンの点数計算が簡単にできるようになった。
【符号の説明】
【０００９】１・・・・密閉中空容器
２・・・・ガラス玉
３・・・・色分けテープ
【図１】
0003167495.tif 000003
(57)【要約】      （修正有）【課題】障害者や高齢者を災害現場から迅速に避難させるための緊急脱出シートを提供する。【解決手段】矩形シート１は強度があり耐摩耗性で滑りやすい素材で、矩形シート１の長手方向の端部１ａに牽引移動用の取手２を設け、且つ矩形シート１の短手方向の両端部１ｂに避難者を包持する係脱自在な締め具帯３を設ける、係脱自在な締め具帯３は避難者を迅速に包持する強度と簡便性を有し、平時敷布団やマットレスの下に常時敷き、取手２と係脱自在な締め具帯３は緊急時に支障のないように備え開張して置く。【選択図】図１
0003167496.tif 000002
【実用新案登録請求の範囲】
【請求項１】
矩形シート長手方向の端部に牽引移動用の取手と短手方向の両端部に係脱自在な締め具帯とを設けたことを特徴とする緊急脱出シート。
【考案の詳細な説明】
【技術分野】
【０００１】  本考案は歩行困難な障害者や高齢者の緊急脱出シートに関する。
【技術の背景】
【０００２】  従来、歩行困難な障害者や高齢者は自宅や施設で火災、地震、水害等の緊急脱出時、ヘルパーや健常者の介添で担架や車椅子に乗せるか背負って避難していた。
【０００３】
【特許文献１】  特開２００１−１６１７４９号
【考案の概要】
【考案が解決しようとする課題】
【０００４】  避難者を車椅子や担架に着席させ、段差や階段を避難することに多くの人手と時間を要し１秒でも早く避難しなければならない緊急時、従来の方法では迅速な非難が困難でありこの欠点を解決しようとするものである。
【問題を解決するための手段】
【０００５】  本考案は突発的な火災、地震、水害の発生時に歩行困難な障害者や高齢者を緊急避難するための緊急脱出シートに関するもので、矩形シート長手方向の端部に牽引移動用の取手と、短手方向の両端部に避難者を包持する係脱自在な締め具帯を備え、災害時避難者を就寝状態で敷布団やマットレスと共に係脱自在な締め具帯で包持し、取手を牽引して被災現場から迅速に脱出することで問題を解決する。
【考案の効果】
【０００６】  前記のように緊急脱出シートは障害者及び高齢者施設で夜間、少人数の介護当直者が緊急避難時一人で短時間に多くの避難者を救出するため、就寝中の避難者を起こさず敷布団やマットレスと供に係脱自在な締め具帯で包持し、ベッドから掛布団のクッションを利用して引きずり下ろし、取手を牽引移動して多くの避難者を迅速に救出することができる。
【図面の簡単な説明】
【０００７】
【図１】本考案全体の緊急脱出シートＡの斜視図を示す。
【図２】緊急脱出シートと避難者との関係参考斜視図を示す。
【図３】係脱自在な締め具帯で避難者を包持した参考斜視図を示す。
【図４】取手を引き避難者を牽引移動する参考斜視図を示す。
【０００８】
【考案を実施するための形態】
【０００９】  矩形シート１は強度があり耐摩耗性で滑りやすい素材で、矩形シート１の長手方向の端部１ａに牽引移動用の取手２を設け、且つ矩形シート１の短手方向の両端部１ｂに避難者を包持する係脱自在な締め具帯３を設ける、係脱自在な締め具帯３は避難者を迅速に包持する強度と簡便性を有し（本考案は面ファスナーを使用）平時敷布団やマットレスの下に常時敷き、取手２と係脱自在な締め具帯３は緊急時に支障のないように備え開張して置く。
【実施例】
【００１０】  以下、本考案の実施形態を図１、図２、図３、図４、に基づいて説明する。【００１１】  図１は本考案全体の緊急脱出シートＡの斜視図を示し矩形シート１の長手方向の端部１ａに牽引移動用の取手２を設け（長手方向両端部でも可）矩形シート１の短手方向の両端部１ｂに避難者を包持する係脱自在な締め具帯３を設ける。【００１２】  図２は緊急脱出シートＡと避難者との関係参考斜視図を示し、通常ベッドにシーツで覆った敷布団とマットレス（図省略）が敷かれ、その上に就寝者が掛け布団等を掛けて使用している、本考案は敷布団とマットレスの下に常時緊急脱出シートＡを敷いて置き、避難時掛け布団を取り敷布団とマットレスと共に避難者を係脱自在な締め具帯３で包持する。【００１３】  図３は係脱自在な締め具帯３で避難者を包持した参考斜視図を示し、緊急脱出シートＡで敷布団とマットレスと共に避難者を係脱自在な締め具帯３で包持し、掛布団をクッションとし避難者をベッドから引きずり下す。【００１４】  図４は取手２を引き避難者を牽引移動する参考斜視図を示し、取手２を矢印の方向に牽引し床や階段を引きずり避難者を避難させる、このとき避難者が床、段差、柱、階段の突起部に接触しても厚い敷布団とマットレスがクッションとなり避難者は損傷することはない。【００１５】  また避難者を緊急脱出シートＡの係脱自在な締め具帯３で包持する時、使用している枕を頭部に挟み、且つ使用している毛布を避難者の上に掛けて包持すれば、延焼中の火災現場や散乱したガレキの中でも損傷することなく迅速に非難することができる、又腕力の強い人であれば一人で迅速に避難者を避難させることが出来る。
【産業上の利用可能性】
【００１６】  歩行困難な障害者や高齢者は、自宅や施設で突発的な火災、地震、水害等の緊急避難時に緊急脱出シートＡを使用すれば、小人数の救助者で迅速に多くの避難者を安全に救助することができる。
【符号の説明】
【００１７】  Ａ・・・・緊急脱出シート
１・・・・矩形シート
１ａ・・・長手方向の端部
１ｂ・・・短手方向の両端部
２・・・・取手
３・・・・係脱自在な締め具帯
【図１】
0003167496.tif 000003
【図２】
0003167496.tif 000004
【図３】
0003167496.tif 000005
【図４】
0003167496.tif 000006
(57)【要約】【課題】  真珠に蛍光塗料や宝石を埋め込む為の加工を施し、蛍光塗料や蛍光塗料と貴金属や宝石を埋め込んだ蛍光真珠を提供することを目的とする。【解決手段】  真珠の表面に宝石や貴金属を埋め込み易くする方法として、レーザーマーカー、サンドブラスト、ドリリングマシーン、グラインダー、ルーター、ミーリングなどを用いて真珠の表面を削ったり、宝石や貴金属を埋め込む為の貫通しない穴を作ったり、また、蛍光塗料や蛍光塗料と貴金属や宝石を埋め込む為の溝を真珠の表面に掘ったりする。【選択図】図１
0003167481.tif 000002
【実用新案登録請求の範囲】
【請求項１】
真珠の表面に蛍光塗料を埋め込み易いように、ドリリングマシーン、ミーリングなどを真珠の表面にを用いて上記真珠の表面を加工することにより、加工した穴に蛍光塗料を埋め込む、又は蛍光塗料と他の真珠や宝石を一緒に埋め込む加工が施されたことを特徴とする蛍光真珠アクセサリー。
【考案の詳細な説明】
【技術分野】
【０００１】  本考案は、蛍光真珠に係り、更に詳しくは、貴金属や宝石の装飾を施した蛍光真珠の改良に関する。
【背景技術】
【０００２】  従来の真珠の装飾品は、表面を磨いたものを単体で、置物や指輪やネックレスやイヤリングとして使う為に、せいぜい表面を研磨するか、ネックレスのように複数個を繋げる為に、真珠に貫通穴を設けてあるが、基本的に、真珠その物の持ち味を損なう事無く、単体、若しくは複数個使う為の加工が施されてあった。また、暗い場所ではアクセサリーが全く目立たなかった。
【考案の概要】
【考案が解決しようとする課題】
【０００３】  従来の真珠は、そのままの真珠の形、若しくは球形や円柱形をはじめとした様々な形に加工され、装飾品として組み込んで使用する事を常識としていた。表面に蛍光塗料を埋め込む、又は蛍光塗料と他の貴金属や宝石を一緒に埋め込む加工を施し、暗い場所でも目立つ装飾品は他には無かった。【０００４】  本考案は、上記の事情に鑑みてなされたものであり、真珠に貫通しない穴を開け、その穴に、蛍光塗料を埋め込む、又は蛍光塗料と他の貴金属や宝石を、一緒に埋め込む加工を施す事により、デザイン性や付加価値を付けることで、多様なデザインを可能とし、新しい購買のマーケットを開くことを目的とする。
【課題を解決するための手段】
【０００５】  本考案による真珠は、真珠の表面を、ドリリングマシーン、ルーター、ミーリングなどの工具を表面に用いて上記真珠の表面を加工することにより、上記真珠に蛍光塗料を埋め込んだ装飾が施されて構成される。【０００６】  この様な構成によれば、真珠の表面を加工して、蛍光塗料を埋め込み易くするので、表面に蛍光塗料、又は蛍光塗料と他の貴金属や宝石を一緒に埋め込む加工を施すことができる。このため、真珠に多様なデザイン性や付加価値を付けることができる。
【考案の効果】
【０００７】  真珠の表面に、蛍光塗料を埋め込む為の加工を施す事により、多様なデザイン性や付加価値を付けることができ、より多様性、装飾性のある真珠の利用を可能となる。そうする事によって新しい購買のマーケットが開ける。
【図面の簡単な説明】
【０００８】
【図１】  本考案の実施の形態による蛍光真珠アクセサリーの一構成例を示した外観図である。
【考案を実施するための形態】
【０００９】  真珠の表面に蛍光塗料を埋め込み易いように、ドリリングマシーン、ルーター、ミーリングなどの工具を用いて、表面を加工することにより、蛍光塗料を埋め込む為の貫通しない穴を作ったり、蛍光塗料や蛍光塗料と貴金属や宝石を埋め込む為の溝を真珠の表面に掘ったりする。加工する真珠の素材は必ずしも球形である必要は無い
【００１０】  図１は、は、本考案の実施の形態による装飾真珠の他の構成例を示した外観図である。装飾真珠１００には、非貫通穴として単数又は複数の窪み部１が設けられ、これらの窪み部に蛍光塗料、又は蛍光塗料とを埋め込むことにより、真珠に多彩な装飾を施すことができる。こうする事によって暗部であってもアクセサリーが目立つ様になる。
【符号の説明】
【００１１】１      窪み部
１００  蛍光真珠アクセサリー
【図１】
0003167481.tif 000003
(57)【要約】      （修正有）【課題】ポケットに印鑑、パスポート、通帳、保険証等貴重品を安全に収納でき盗難、落下を防止するベストを提供する。【解決手段】ベストの着丈を３センチ長くして、前身頃のカットを無くしポケットの深さを確保し、さらに箱ポケットに、蓋を付けその蓋を利用し上方に展開させてボタン止めすることで、貴重品を安全に身に付けて持ち歩く事が出来、盗難防止にも役立つ。【選択図】図１
0003167489.tif 000002
【実用新案登録請求の範囲】
【請求項１】
ベストに作り付け衿を採用し腰ポケット胸ポケットに箱ポケット蓋付き上方釦止めとした事を特徴とする貴重品収納衿付きベスト。
【考案の詳細な説明】
【技術分野】
【０００１】本考案は老若男女を問わず、身体が不自由になった人にもセカンドバック代替用に関するするものである。
【背景技術】
【０００２】従来、ベストは、スーツの中に着用するもので、貴重品を入れてもポケットが浅くて落としてしまう危険性がありこれとは、別に新しい、人が誰でも着用できるベストを考案する事にした。
【先行技術文献】
【特許文献】
【０００３】
【特許文献１】
【非特許文献】
【０００４】
【非特許文献１】防弾ベストアメリカ合衆国司法省の国家司法研究所の規格
【考案の概要】
【考案が解決しようとする課題】
【０００５】ポケットの深さを確保する為に、従来より着丈を長めに設定する事と箱ポケットに蓋を付けその蓋を上方に釦止めにして貴重品を落とさなくすることである。
【課題を解決するための手段】
【０００６】本考案は、着丈を長くする為に製図２のＬ〜Ｌ１を３センチ繰り下げ、同Ｄ〜Ｄ１も３センチ繰り下げてＦ１〜Ｄ１を結びポケットの深さを確保する。
Ｅ〜Ｅ１は、腰箱ポケット蓋幅５センチ、Ｇ〜Ｇ１は胸箱ポケット蓋幅４センチにしその蓋を上に展開しボタンで止めることで、貴重品の安全が保たれ問題点を解決している。
【考案の効果】
【０００７】以上の説明から明らかなように、本考案にあっては、次に列挙するような効果がある
（１）ベストを着用したまま貴重品を収納出来る。
（２）非常時など着用したまま避難できる。
【図面の簡単な説明】
【０００８】
【図１】本考案の平面正面図
【図２】ベストの製図
【考案を実施するための形態】
【０００９】［図１］は、ベストの例を概略的に示す。図１を参照に説明する。「右」、「左」の用語は説明上、着用状態における、着用者を基準にする。
したがって、１は身頃の左側  ２は身頃の右側  ３は作り付け衿  ４は箱腰ポケット展開図  ５は箱胸ポケット展開図。
［図１］の様に４〜５〜６は、ポケットの蓋を上方に展開した図である３は作り付け衿で、７が、衿止まりで、この個所をテケポケットとして利用する。
【実施例】
【００１０】［図２］の  Ｌ〜Ｌ１着丈３センチ長くしＬ１〜Ｃ〜Ｃ１直線で結び背身頃の着丈を決め、前身頃Ｄ〜Ｄ１  ３センチにして背身頃に合せる。さらに、前身頃裾線をＦ〜Ｆ１〜Ｄ１とカーブで結ぶ事でＥ＝前身頃裾線のポケットの深さを確保することが出来る、さらに作り付け衿とした事でテケポケットを確保する事が出来た。【００１１】本考案の一実施例は上述の如き構成からなるものであるから、普通にベストとして着用されても良いが、貴重品収納時には、［図１］の平面図の様に４〜５〜６の様にポケットの蓋を上方に展開して釦止めとする。
【符号の説明】
【００１２】１〜左前身頃  ２〜右前身頃  ３〜作り付け衿  ４〜左腰ポケット蓋上方展開図  ５〜胸ポケット蓋上方展開図  ６〜右腰ポケット蓋上方展開図  ７〜テケポケット
（製図記号）
Ｏ〜背身頃中心  Ｂ〜バスと線  Ｗ〜ウェスト線  Ｌ〜着丈  Ｌ１〜補正  着丈  Ｍ〜衿みつ  Ｎ〜ネック  Ｆ〜フロント  Ｆ１〜前カット  Ｄ１〜補正前脇  Ｅ〜Ｅ！〜箱ポケット蓋  Ｇ〜Ｇ！〜胸ポケット蓋
【図１】
0003167489.tif 000003
【図２】
0003167489.tif 000004